(57)【要約】  浴室乾燥機（１）は、空気流を発生させる送風機を有する本体（２）と、浴室乾燥機（１）が開口（２０）に設置されている設置状態において下方へ向けられる下面（２３）を有し、本体（２）を囲う板金筐体（８）と、建材に取り付けられ、板金筐体（８）を固定する枠材（１６）と、を備える。下面（２３）には、設置状態において下面（２３）よりも下方へ突出した突起部（２７）が設けられている。突起部（２７）のうち設置状態において屋内の側の面である第１面（３１）が枠材のうち屋外へ向けられる面（１６ａ）に平行である。
2020079851.tif 000002
【特許請求の範囲】
【請求項１】
屋内と屋外とを隔てる建材に設けられている開口に設置される浴室乾燥機であって、
空気流を発生させる送風機を有する本体と、
前記浴室乾燥機が前記開口に設置されている設置状態において下方へ向けられる下面を有し、前記本体を囲う板金筐体と、
前記建材に取り付けられ、前記板金筐体を固定する枠材と、
を備え、
前記下面には、前記設置状態において前記下面よりも下方へ突出した突起部が設けられており、
前記突起部のうち前記設置状態において前記屋内の側の面である第１面が前記枠材のうち前記屋外へ向けられる面に平行であることを特徴とする浴室乾燥機。
【請求項２】
前記第１面は、前記下面に垂直であることを特徴とする請求項１に記載の浴室乾燥機。
【請求項３】
前記突起部は、前記設置状態において前記第１面よりも前記屋内の側とは逆側に位置する第２面を有し、
前記第２面は、前記設置状態において前記屋内の側とは逆側へ向けて上り勾配となる傾斜を持つことを特徴とする請求項１または２に記載の浴室乾燥機。
【請求項４】
前記突起部は、前記下面を含む板材に凹みを持たせた部分であることを特徴とする請求項１から３のいずれか１つに記載の浴室乾燥機。
【請求項５】
前記下面には、前記板金筐体の外へドレン水を排出するためのドレン孔と、前記本体からの空気流が通る通気孔と、が設けられていることを特徴とする請求項１から４のいずれか１つに記載の浴室乾燥機。
【発明の詳細な説明】
【技術分野】
【０００１】
本発明は、浴室内から取り込まれた空気の浴室への循環と、浴室内から取り込まれた空気の浴室の外への排出とを可能とする浴室乾燥機に関する。
【背景技術】
【０００２】
浴室内から取り込まれた空気を浴室内へ循環させる循環気流が通過する循環口と、浴室内から取り込まれた空気を浴室の外へ排出させる排気流が通過する排気口とを備える浴室乾燥機が知られている。浴室乾燥機は、浴室内からの空気をヒーターで温めて循環口へ温風を送る暖房運転と、浴室内からの空気を排気口へ送る換気運転と、浴室内からの空気を排気口へ送ると同時に循環口へ温風または涼風を送る乾燥運転とを行う。特許文献１には、換気運転と暖房運転と乾燥運転とを行う浴室乾燥機が開示されている。
【先行技術文献】
【特許文献】
【０００３】
【特許文献１】中国特許第１０３３９２０９８号明細書
【発明の概要】
【発明が解決しようとする課題】
【０００４】
浴室乾燥機は、屋内と屋外とを隔てる建材に設けられている開口に設置されることがある。かかる開口へ浴室乾燥機を設置するための作業では、浴室乾燥機は、屋内から屋外へ開口を通された状態で、開口を囲う枠に固定される。かかる作業において、浴室乾燥機が固定されるよりも前における浴室乾燥機の抜け落ちを阻止するための措置がとられることがある。この場合、抜け落ちを阻止するための工程が作業工程に加わることによって、浴室乾燥機は、設置のための作業が煩雑になるという問題があった。【０００５】
本発明は、上記に鑑みてなされたものであって、建材に設けられている開口への設置のための作業を煩雑にさせることなく開口からの浴室乾燥機の抜け落ちを阻止可能とする浴室乾燥機を得ることを目的とする。
【課題を解決するための手段】
【０００６】
上述した課題を解決し、目的を達成するために、本発明にかかる浴室乾燥機は、屋内と屋外とを隔てる建材に設けられている開口に設置される。本発明にかかる浴室乾燥機は、空気流を発生させる送風機を有する本体と、浴室乾燥機が開口に設置されている設置状態において下方へ向けられる下面を有し、本体を囲う板金筐体と、建材に取り付けられ、板金筐体を固定する枠材と、を備える。下面には、設置状態において下面よりも下方へ突出した突起部が設けられている。突起部のうち設置状態において屋内の側の面である第１面が枠材のうち屋外へ向けられる面に平行である。
【発明の効果】
【０００７】
本発明にかかる浴室乾燥機は、建材に設けられている開口への設置のための作業を煩雑にさせることなく開口からの浴室乾燥機の抜け落ちを阻止できるという効果を奏する。
【図面の簡単な説明】
【０００８】
【図１】本発明の実施の形態１にかかる浴室乾燥機の分解図
【図２】図１に示す浴室乾燥機の運転によって生じる空気流を示す図
【図３】図１に示す浴室乾燥機の設置について説明する図
【図４】図１に示す浴室乾燥機を固定するための枠材と、枠材が取り付けられるサッシとを示す平面図
【図５】図１に示す浴室乾燥機が有する本体ケースの斜視図
【図６】図１に示す浴室乾燥機が有する板金筐体の斜視図
【図７】図６に示す板金筐体のうちの一部における断面を示す図
【図８】図６に示す板金筐体のうちの一部を示す平面図
【図９】図１に示す浴室乾燥機が枠材に固定されている状態を示す図
【図１０】図１に示す浴室乾燥機が枠材に固定されるよりも前に、浴室乾燥機が浴室側へ移動した場合における状態を示す図
【図１１】図６に示す板金筐体の分解図
【発明を実施するための形態】
【０００９】
以下に、本発明の実施の形態にかかる浴室乾燥機を図面に基づいて詳細に説明する。なお、この実施の形態によりこの発明が限定されるものではない。
【００１０】
実施の形態１．
図１は、本発明の実施の形態１にかかる浴室乾燥機１の分解図である。浴室乾燥機１は、浴室内から取り込まれた空気の浴室への循環と、浴室内から取り込まれた空気の浴室の外への排出とを可能とする。浴室乾燥機１は、屋内である浴室内と屋外とを隔てる建材に設けられている開口に設置される。以下の説明にて、設置状態とは、建材に設けられている開口に浴室乾燥機１が設置されている状態とする。
【００１１】
浴室乾燥機１は、シロッコファン４を有する本体２と、本体２を囲う板金筐体８と、本体２の浴室側に設けられた本体ベース９と、本体ベース９に取り付けられたフロントパネル１０とを備える。シロッコファン４は、空気流を発生させる送風機である。本体２は、シロッコファン４を収容する本体ケース３を有する。本体ケース３は、設置状態における浴室側の１面が開放された箱体である。
【００１２】
シロッコファン４は、本体ケース３内の送風路を形成するファンケーシング５に収容されている。風路を切り換えるためのダンパー６と、空気を温めるヒーター７とは、本体ケース３に収容されている。本体ケース３には、本体ケース３内から屋外へ排出される空気流が通過する排気口１１が設けられている。排気口１１は、本体ケース３のうち設置状態において下方へ向けられる面に設けられている。本体ケース３の開放端には、フランジ１４が設けられている。
【００１３】
本体ケース３内には、ファンケーシング５の内部の送風路と、ファンケーシング５からの風を排気口１１へ進行させる第１の風路と、ファンケーシング５からの風を後述する循環口１３へ進行させる第２の風路とが設けられている。ダンパー６は、第１の風路と第２の風路との分岐に配置されている。ダンパー６は、回転駆動により、第１の風路の開度と第２の風路の開度とを調節する。ヒーター７は、第２の風路に配置されている。
【００１４】
本体ベース９は、浴室側から本体ケース３を塞ぐ。本体ベース９には、シロッコファン４の駆動によって浴室内から本体ケース３内へ吸い込まれる空気流が通過する吸込口１２が設けられている。フロントパネル１０は、本体ベース９のうち本体ケース３の側とは逆側に取り付けられている。フロントパネル１０には、浴室内から取り込まれた空気を浴室内へ循環させる空気流が通過する循環口１３が設けられている。
【００１５】
板金筐体８は、設置状態において浴室へ向けられる側の１面が開放された箱体である。板金筐体８は、本体２のうち屋外へ出される部分を覆う。板金筐体８の開放端には、フランジ１５が設けられている。
【００１６】
図２は、図１に示す浴室乾燥機１の運転によって生じる空気流を示す図である。浴室乾燥機１は、浴室内からの空気をヒーター７で温めて循環口１３から温風を吹き出す暖房運転と、浴室内からの空気を排気口１１から屋外へ排出する換気運転と、浴室内からの空気を排気口１１から排出すると同時に循環口１３から温風または涼風を吹き出す乾燥運転とを行う。浴室乾燥機１は、ダンパー６を駆動して、暖房運転と、換気運転と、乾燥運転との切り換えを行う。図２に示す白抜きの矢印は、乾燥運転における空気流を表している。なお、図２では、第１の風路を塞いでいるときのダンパー６と、第２の風路を塞いでいるときのダンパー６とを示している。
【００１７】
図３は、図１に示す浴室乾燥機１の設置について説明する図である。浴室の壁１９の一部は、浴室内と屋外とを連通可能に開放されている。かかる開放部分には、窓の取り付けのためのサッシ１８が設けられている。サッシ１８は、窓枠を構成するアルミニウム製の板材であって、屋内である浴室内と屋外とを隔てる建材である。サッシ１８は、アルミニウム以外の材料からなる板材であっても良い。サッシ１８には、開口２０が設けられている。
【００１８】
浴室乾燥機１は、サッシ１８に浴室乾燥機１を固定するための枠材１６を含む。枠材１６は、開口２０を縁取る枠状の板材であって、サッシ１８に取り付けられる。枠材１６には、板金筐体８が固定される。
【００１９】
図４は、図１に示す浴室乾燥機１を固定するための枠材１６と、枠材１６が取り付けられるサッシ１８とを示す平面図である。枠材１６は、アルミニウム製の板材である。枠材１６は、アルミニウム以外の材料からなる板材であっても良い。枠材１６は、サッシ１８に設けられている開口２０より大きい外形をなす。
【００２０】
枠材１６には、開口２０よりも小さい開口１７が設けられている。開口１７は、板金筐体８のうちフランジ１５以外の部分の外形よりも若干大きく、かつフランジ１５の外形よりも小さい。枠材１６は、サッシ１８のうち開口２０の周囲において固定される。なお、浴室乾燥機１は、サッシ１８以外の建材に取り付けられても良い。
【００２１】
本体ケース３のフランジ１４は、板金筐体８のフランジ１５のうち浴室側の面に固定される。フランジ１５の当該面が、枠材１６の表面１６ａに平行にされて枠材１６に接することにより、浴室乾燥機１の位置が決定される。図３に示すように、表面１６ａは、枠材１６のうち屋外へ向けられる面である。フランジ１５は、ねじによって枠材１６に固定される。フランジ１５が枠材１６に固定されることによって、浴室乾燥機１は、開口２０において位置決めされた状態で固定される。
【００２２】
図５は、図１に示す浴室乾燥機１が有する本体ケース３の斜視図である。本体ケース３は、本体ケース３内に配置される構成要素を収容可能な箱体であって、フランジ１４と排気口１１とを有する。本体ケース３の材料には、樹脂材料が使用される。フランジ１４には、フランジ１４と板金筐体８のフランジ１５とを固定するためのねじが通されるねじ孔２１が設けられている。
【００２３】
図６は、図１に示す浴室乾燥機１が有する板金筐体８の斜視図である。板金筐体８は、本体２を収容可能な箱体である。フランジ１５には、フランジ１５と本体ケース３のフランジ１４とを固定するためのねじが締め込まれるナット２２が設けられている。板金筐体８の材料には、耐火性と耐候性とを備えた金属材料が使用される。浴室乾燥機１は、耐火性と耐候性とを備えた板金筐体８によって本体２を囲うことで、耐火性と耐候性とに優れた構成にできる。
【００２４】
下面２３は、板金筐体８のうち設置状態において下方へ向けられる面である。下面２３には、排気口１１からの空気流が通る複数の通気孔２４を構成する格子２５が形成されている。格子２５は、下面２３のうち排気口１１と対向する領域２９に設けられている。領域２９の位置は、下面２３のうちフランジ１５の側とは逆側へ寄せられている。板金筐体８に格子２５が設けられることによって、浴室乾燥機１は、排気口１１からの空気流を板金筐体８の外へ排出するとともに、板金筐体８の外から板金筐体８の中への異物の進入を抑制できる。通気孔２４は、下面２３を含む板材を打ち抜くことによって形成される。格子２５は、下面２３を含む板材のうち通気孔２４同士の間に残された部分である。
【００２５】
下面２３には、空気に含まれる水分が凝縮することによって生じたドレン水を板金筐体８の外へ排出するためのドレン孔２６と、ドレン孔２６へのドレン水の進行を促すための傾斜部２８とが設けられている。下面２３には、領域２９を間に置いて配置された２つの傾斜部２８が設けられている。傾斜部２８は、下面２３を含む板材に凹みを持たせた部分である。傾斜部２８は、絞り加工によって形成される。ドレン孔２６は、各傾斜部２８に設けられている。ドレン孔２６は、下面２３を含む板材を打ち抜くことによって形成される。
【００２６】
下面２３には、設置状態において下面２３よりも下方へ突出した２つの突起部２７が設けられている。突起部２７は、下面２３のうちフランジ１５と領域２９との間に設けられている。２つの突起部２７は、下面２３のうちフランジ１５との境界線と平行な方向へ並べられている。突起部２７は、下面２３を含む板材に凹みを持たせた部分である。突起部２７は、絞り加工によって形成される。
【００２７】
図７は、図６に示す板金筐体８のうちの一部における断面を示す図である。図７には、板金筐体８のうち下面２３を含む部分の断面であって、ドレン孔２６と傾斜部２８とを含む断面を示している。傾斜部２８には、フランジ１５の側とは逆側へ向けて下り勾配となる傾斜がつけられている。ドレン孔２６は、各傾斜部２８の最下部に設けられている。ドレン孔２６には、板金筐体８の外からの雨水の進入を防ぐための返し部２６ａが設けられている。
【００２８】
図８は、図６に示す板金筐体８のうちの一部を示す平面図である。図８には、板金筐体８のうち下面２３を含む部分を示している。また、図８には、２つの突起部２７が並べられている方向に平行な方向から見た場合の平面構成を示している。
【００２９】
突起部２７は、図８に示す平面に平行な断面において台形をなしている。台形を構成する２つの平行な線分のうち長いほうの線分は、下面２３と一致している。当該２つの線分のうち短いほうの線分は、下面２３よりも下方に位置している。突起部２７は、下面２３と垂直な第１面３１と、下面２３に対し傾斜を持たせた第２面３２とを有する。上記の台形を構成する４つの線分のうち上記の２つの線分と垂直な線分は、第１面３１を表す。４つの線分のうち残りの１つである斜辺は、第２面３２を表す。第２面３２は、フランジ１５の側とは逆側へ向けて上り勾配となる傾斜を持つ。
【００３０】
図９は、図１に示す浴室乾燥機１が枠材１６に固定されている状態を示す図である。図９では、枠材１６の断面と、浴室乾燥機１の平面構成とを示している。設置状態において、開口１７のうち下方側の縁１７ａに下面２３が接することによって、枠材１６が浴室乾燥機１の重量を受けている。図９に示す設置状態において、表面１６ａと下面２３とは、互いに垂直である。第１面３１は、表面１６ａに平行である。
【００３１】
浴室乾燥機１は、浴室内から屋外へ向けて板金筐体８が開口１７を通されてから、枠材１６に固定される。浴室乾燥機１は、板金筐体８が縁１７ａに載せられて、縁１７ａにおいて下面２３を滑らせることによって、開口１７を通される。縁１７ａに下面２３が接触している状態において、開口１７のうち上方側の縁１７ｂと板金筐体８の上面３６との間には、若干の隙間が形成される。
【００３２】
縁１７ａにおいて下面２３を滑らせていき、縁１７ａに突起部２７が到達すると、縁１７ａにおいて第２面３２を滑らせることによって、突起部２７は縁１７ａを乗り越える。第２面３２に傾斜が付けられているため、突起部２７は、縁１７ａを容易に乗り越えることができる。
【００３３】
突起部２７が縁１７ａを乗り越えた後、下面２３のうち突起部２７とフランジ１５との間の部分を縁１７ａにおいて滑らせていき、枠材１６にフランジ１５を到達させる。枠材１６にフランジ１５が接している状態にて、フランジ１５が枠材１６に固定されることによって、浴室乾燥機１は枠材１６に固定される。
【００３４】
枠材１６へのフランジ１５の固定のための作業が開始されるよりも前は、浴室乾燥機１は、外力に対して不安定な状態である。外力に対し不安定であることから、浴室乾燥機１は、屋外の風を受けることによって浴室側へ戻されることがあり得る。この場合、浴室乾燥機１は、浴室乾燥機１の重量によって板金筐体８が縁１７ａに載せられたまま、風力を受けて浴室側へ移動する。
【００３５】
図１０は、図１に示す浴室乾燥機１が枠材１６に固定されるよりも前に、浴室乾燥機１が浴室側へ移動した場合における状態を示す図である。浴室乾燥機１が浴室側へ移動する場合、縁１７ａにおいて下面２３が滑ることによって、突起部２７の第１面３１が縁１７ａに到達する。第１面３１が下面２３に垂直であるため、縁１７ａにおける突起部２７の乗り越えが阻止される。突起部２７が縁１７ａを乗り越えないことにより、第１面３１が縁１７ａに接した状態で、浴室乾燥機１の移動が止まる。これにより、浴室乾燥機１が固定されるよりも前における浴室乾燥機１の抜け落ちが阻止される。
【００３６】
第１面３１が縁１７ａに接した状態で、浴室乾燥機１が屋外の風を受けることによって、浴室乾燥機１の全体が、第１面３１と縁１７ａとの接点を支点に回転することがある。図１０には、浴室側を下にして浴室乾燥機１が傾いている状態を示している。かかる状態では、第１面３１が縁１７ａに接するとともに上面３６が縁１７ｂに接することによって、浴室乾燥機１のさらなる回転が阻止される。これにより、浴室乾燥機１の回転による抜け落ちが阻止される。なお、浴室乾燥機１が浴室側を上にして傾いた場合は、浴室乾燥機１は屋外側へ移動することによって、浴室乾燥機１の抜け落ちが阻止される。
【００３７】
実施の形態１において、第１面３１が下面２３に垂直であるとは、第１面３１が下面２３に対して完全に垂直である場合のほか、下面２３に完全に垂直な面である垂直面に対して第１面３１が若干の傾きを持つ場合も含まれるものとする。若干の傾きを持つ場合とは、縁１７ａに板金筐体８が載せられた状態にて浴室乾燥機１が浴室側へ移動した場合に、縁１７ａにおける突起部２７の乗り越えを阻止可能である程度に、第１面３１が垂直面に近い面であることを指すものとする。
【００３８】
実施の形態１において、第１面３１が表面１６ａに平行であるとは、第１面３１と表面１６ａとが完全に平行である場合のほか、第１面３１が表面１６ａと完全に平行な面である平行面に対して若干の傾きを持つ場合も含まれるものとする。若干の傾きを持つ場合とは、縁１７ａに板金筐体８が載せられた状態にて浴室乾燥機１が浴室側へ移動した場合に、縁１７ａにおける突起部２７の乗り越えを阻止可能である程度に、第１面３１が平行面に近い面であることを指すものとする。
【００３９】
図１１は、図６に示す板金筐体８の分解図である。板金筐体８は、下面２３と上面３６と３つの側面３７，３８，３９とを有する。側面３７は、設置状態において表面１６ａと平行な面である。側面３８と側面３９とは、設置状態において表面１６ａと垂直な面である。
【００４０】
板金筐体８は、第１板材３３と第２板材３４と第３板材３５とを結合することによって形成される。下面２３と上面３６と側面３７とは、第１板材３３に含まれている。側面３８は、第２板材３４に含まれている。側面３９は、第３板材３５に含まれている。
【００４１】
格子２５と、突起部２７と、傾斜部２８と、ドレン孔２６とは、１つの面である下面２３に集約されて形成される。成形を要するこれらの各部が下面２３に集約されることによって、浴室乾燥機１は、各部が複数の面に分散される場合に比べて、製造コストを低減できる。
【００４２】
実施の形態１によると、浴室乾燥機１は、下面２３に垂直な第１面３１を有する突起部２７が下面２３に設けられることによって、浴室乾燥機１の抜け落ちを阻止するための工程を作業工程に加えなくても、開口２０に設けられている枠材１６からの抜け落ちを阻止可能とする。これにより、浴室乾燥機１は、建材に設けられている開口２０への設置のための作業を煩雑にさせることなく、開口２０からの浴室乾燥機１の抜け落ちを阻止することができるという効果を奏する。
【００４３】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００４４】
１  浴室乾燥機、２  本体、３  本体ケース、４  シロッコファン、５  ファンケーシング、６  ダンパー、７  ヒーター、８  板金筐体、９  本体ベース、１０  フロントパネル、１１  排気口、１２  吸込口、１３  循環口、１４，１５  フランジ、１６  枠材、１６ａ  表面、１７，２０  開口、１７ａ，１７ｂ  縁、１８  サッシ、１９  壁、２１  ねじ孔、２２  ナット、２３  下面、２４  通気孔、２５  格子、２６  ドレン孔、２６ａ  返し部、２７  突起部、２８  傾斜部、３１  第１面、３２  第２面、３３  第１板材、３４  第２板材、３５  第３板材、３６  上面、３７，３８，３９  側面。
【図１】
2020079851.tif 000003
【図２】
2020079851.tif 000004
【図３】
2020079851.tif 000005
【図４】
2020079851.tif 000006
【図５】
2020079851.tif 000007
【図６】
2020079851.tif 000008
【図７】
2020079851.tif 000009
【図８】
2020079851.tif 000010
【図９】
2020079851.tif 000011
【図１０】
2020079851.tif 000012
【図１１】
2020079851.tif 000013
【手続補正書】
【提出日】令和2年9月29日(2020.9.29)
【手続補正１】
【補正対象書類名】特許請求の範囲
【補正対象項目名】全文
【補正方法】変更
【補正の内容】
【特許請求の範囲】
【請求項１】
屋内と屋外とを隔てる建材に設けられている開口に設置される浴室乾燥機であって、
空気流を発生させる送風機を有する本体と、
前記浴室乾燥機が前記開口に設置されている設置状態において下方へ向けられる下面を有し、前記本体を囲う板金筐体と、
前記建材に取り付けられ、前記板金筐体を固定する枠材と、
を備え、
前記下面には、前記設置状態において前記下面よりも下方へ突出した突起部が設けられており、
前記突起部のうち前記設置状態において前記屋内の側の面である第１面が前記枠材のうち前記屋外へ向けられる面に平行であって、
前記突起部は、前記設置状態において前記第１面よりも前記屋内の側とは逆側に位置する第２面を有し、
前記第２面は、前記設置状態において前記屋内の側とは逆側へ向けて上り勾配となる傾斜を持つことを特徴とする浴室乾燥機。
【請求項２】
前記第１面は、前記下面に垂直であることを特徴とする請求項１に記載の浴室乾燥機。
【請求項３】
前記突起部は、前記下面を含む板材に凹みを持たせた部分であることを特徴とする請求項１または２に記載の浴室乾燥機。
【請求項４】
前記下面には、前記板金筐体の外へドレン水を排出するためのドレン孔と、前記本体からの空気流が通る通気孔と、が設けられていることを特徴とする請求項１から３のいずれか１つに記載の浴室乾燥機。
【手続補正２】
【補正対象書類名】明細書
【補正対象項目名】０００６
【補正方法】変更
【補正の内容】
【０００６】
上述した課題を解決し、目的を達成するために、本発明にかかる浴室乾燥機は、屋内と屋外とを隔てる建材に設けられている開口に設置される。本発明にかかる浴室乾燥機は、空気流を発生させる送風機を有する本体と、浴室乾燥機が開口に設置されている設置状態において下方へ向けられる下面を有し、本体を囲う板金筐体と、建材に取り付けられ、板金筐体を固定する枠材と、を備える。下面には、設置状態において下面よりも下方へ突出した突起部が設けられている。突起部のうち設置状態において屋内の側の面である第１面が枠材のうち屋外へ向けられる面に平行である。突起部は、設置状態において第１面よりも屋内の側とは逆側に位置する第２面を有する。第２面は、設置状態において屋内の側とは逆側へ向けて上り勾配となる傾斜を持つ。
【国際調査報告】
2020079851.tif 000014
2020079851.tif 000015
2020079851.tif 000016
2020079851.tif 000017